【手続補正書】
【提出日】平成24年1月16日(2012.1.16)
【手続補正１】
【補正対象書類名】明細書
【補正対象項目名】００１５
【補正方法】変更
【補正の内容】
【００１５】
本発明は、水溶液またはエマルションの形態の組成物に関するものであり、当該組成物
は、
（ａ）一般式：ＮＸ１Ｘ２（ＣｎＨ２ｎＯＨ）で表される１種以上のヒドロキシアルキ
ルアミン（式中、Ｘ１およびＸ２は、互いに独立して、水素またはヒドロキシアルキル基
であり、Ｘ１の前記ヒドロキシアルキル基は一般式：Ｃ（ｎ１）Ｈ２（ｎ１）ＯＨで表さ
れ、Ｘ２の前記ヒドロキシアルキル基は一般式：Ｃ（ｎ２）Ｈ２（ｎ２）ＯＨで表され、
ｎ，ｎ１およびｎ２は２〜６の整数である）と、
（ｂ）アルキルサルフェート(alkyl sulfates)；アルキルスルホネート(alkyl sulfona
tes)（パラフィンスルホネート）；アルキルアリールスルホネート(alkylaryl sulfonate
s)；アルキルエーテルホスフェート(phosphates d’alkylether)；およびアルキルカル
ボキシレート(carboxylates d’alkyle)；から選択される１種以上のアニオン性界面活性
剤と、を含み、
さらに、下記（ｃ）および／または（ｄ）の化合物の少なくとも１つ含んでいる。
（ｃ）一般式：Ｒ１Ｒ２Ｎ（ＣＳ）ＮＲ３Ｒ４（式中、Ｒ１，Ｒ２，Ｒ３，Ｒ４は、互
いに独立して、水素または炭素数１〜５の炭化水素基である）で表される１種以上のチオ
尿素（チオカルバミド）。
（ｄ）メタノール；イソプロパノール；グリコール類（好ましくは、グリセロール、
エチレングリコール、プロピレングリコール)；またはグリコールエーテル類（好ましくは、エチレングリコールエーテル、プロピレングリコールエーテル）から選択される１種以上の凍結防止剤と組合された、１種以上のジアルキルスルホサクシネート(sulfosuccinates de dialkyl)。
【手続補正２】
【補正対象書類名】明細書
【補正対象項目名】００６４
【補正方法】変更
【補正の内容】
【００６４】
【式１】
2011521115.tif 000001
（式中、Ｒ６およびＲ７は、互いに独立して、炭素数６〜２２、好ましくは炭素数６〜１２のアルキル基を表す。）
【手続補正３】
【補正対象書類名】特許請求の範囲
【補正対象項目名】全文
【補正方法】変更
【補正の内容】
【特許請求の範囲】
【請求項１】
水溶液またはエマルション形態の組成物であって、
（ａ）一般式：ＮＸ１Ｘ２（ＣｎＨ２ｎＯＨ）で表される１種以上のヒドロキシアルキ
ルアミン（式中、Ｘ１およびＸ２は、互いに独立して、水素またはヒドロキシアルキル基
であり、Ｘ１の前記ヒドロキシアルキル基は一般式：Ｃ（ｎ１）Ｈ２（ｎ１）ＯＨで表さ
れ、Ｘ２の前記ヒドロキシアルキル基は一般式：Ｃ（ｎ２）Ｈ２（ｎ２）ＯＨで表され、
ｎ，ｎ１およびｎ２は２〜６の整数である）と、
（ｂ）アルキルサルフェート；アルキルスルホネート（パラフィンスルホネートなど）
；アルキルアリールスルホネート；アルキルエーテルホスフェート；およびアルキルカル
ボキシレート；から選択される１種以上のアニオン性界面活性剤と、を含み、
さらに、下記（ｃ）および／または（ｄ）の少なくとも１つの化合物を含む、組成物。
（ｃ）一般式：Ｒ１Ｒ２Ｎ（ＣＳ）ＮＲ３Ｒ４（式中、Ｒ１，Ｒ２，Ｒ３，Ｒ４は、互
いに独立して、水素または炭素数１〜５の炭化水素基である）で表される１種以上のチオ
尿素（チオカルバミド）。
（ｄ）メタノール；イソプロパノール；グリコール類；またはグリコールエーテル類から選択される１種以上の凍結防止剤と組合された、１種以上のジアルキルスルホサクシネート。
【請求項２】
請求項１において、化合物（ｃ）が、ＥＤＴＡ（エチレンジアミン四酢酸）、ＮＴＡ（
ニトリロ三酢酸）、ＤＴＰＡ（ジエチレントリアミン五酢酸）、ホスホン酸、グルコン酸
、ホスホネート、グルコネート、およびポリアクリレートから選択される１種以上の金属イオン封鎖剤を含む、組成物。
【請求項３】
請求項１または２において、成分（ａ）を１〜１５重量％、成分（ｂ）を１０〜５０重量％、成分（ｃ）および／または成分（ｄ）を３〜１５重量％、水を７５重量％未満含む、組成物。
【請求項４】
請求項２または３において、１種以上の金属イオン封鎖剤を組成物中に０．２〜２重量
％含む、組成物。
【請求項５】
請求項１から４のいずれか一項において、１種以上のヒドロキシアルキルアミン（ａ）
が、Ｘ１およびＸ２が水素を表し、ｎが２〜６の整数を表す化合物である、組成物。
【請求項６】
請求項５において、１種以上のヒドロキシアルキルアミン（ａ）が、モノエタノールア
ミン、ジエタノールアミンまたはトリエタノールアミンから選択される、組成物。
【請求項７】
請求項１から６のいずれか一項において、アニオン性界面活性剤（ｂ）のアルキル基の
炭素数が８〜２２である、組成物。
【請求項８】
請求項１から７のいずれか一項において、チオ尿素化合物（ｃ）における、Ｒ１，Ｒ２
，Ｒ３およびＲ４の少なくとも１つが水素を表している、組成物。
【請求項９】
請求項１から８のいずれか一項において、化合物（ｄ）のジアルキルスルホサクシネー
トのアルキル基は、炭素数が８〜２２を含んでいる、組成物。
【請求項１０】
請求項１から９のいずれか一項において、化合物（ｄ）は、アルカリ金属塩およびアル
カリ土類金属塩から選択された化合物である、組成物。
【請求項１１】
請求項１から１０のいずれか一項において、組成物（ｄ）のグリコールエーテル類が、
一般式：Ｒ−Ｏ−（ＣＨ２−ＣＨ（Ｘ））（ｎ３）−Ｏ−Ｒ’［式中、Ｘは水素原子また
はＣＨ２基を表し、ＲおよびＲ’は、互いに独立して炭素数１〜５の炭素鎖を有し、ｎ３
は１〜１０の整数である］で表される、組成物。
【請求項１２】
請求項１から１１のいずれか一項において、成分（ａ）と、成分（ｂ）と、成分（ｃ）
と、金属イオン封鎖剤とを含む、組成物。
【請求項１３】
請求項１から１１のいずれか一項において、成分（ａ）と、成分（ｂ）と、成分（ｄ）
とを含む、組成物。
【請求項１４】
請求項１から１３のいずれか一項に記載の組成物を水で希釈した繊維助剤。
【請求項１５】
請求項１４において、水の総含有量が、７５重量％を超えている繊維助剤。
【請求項１６】
請求項１５において、化合物（ａ）、（ｂ）、（ｃ）および／または（ｄ）で構成され
る活性成分の総含有量が、０．２重量％から２５重量％である、繊維助剤。
【請求項１７】
熱処理される繊維および前記熱処理繊維で構成されたヤーンの破断強度および極限伸度を保持するために使用される、請求項１４から１６のいずれか一項に記載の繊維助剤。
【請求項１８】
熱処理される繊維、または熱処理される繊維で形成されたヤーン、織物もしくは編物の染色性を保持するために使用される、請求項１４から１６のいずれか一項に記載の繊維助剤。
【請求項１９】
繊維、または繊維で形成されたヤーン、編物もしくは織物の均染剤として使用される、請求項１４から１６のいずれか一項に記載の繊維助剤。
【請求項２０】
請求項１７から１９において、繊維が合成繊維（好ましくはポリアミド繊維またはアラ
ミド繊維）である、繊維助剤。
【請求項２１】
請求項１７から１９において、ヤーン、織物または編物が、エラスタン繊維を、他の繊
維と共に含んでいる、繊維助剤。
【請求項２２】
請求項１７または１８において、熱処理が１７０〜２１０℃で行われる、繊維助剤。
【請求項２３】
請求項２２において、熱処理が、ヤーン、織物または編物の寸法安定化のために行われ
る処理である、繊維助剤。
【請求項２４】
ヤーン、織物または編物の処理方法であって、
請求項１４から１６のいずれか一項に記載の繊維助剤に、ヤーン、織物または編物を浸
漬する前処理工程と、ついで、ヤーン、織物または編物の寸法安定性を確保するための熱
処理を行う工程と、を含み、
さらに、熱処理後のオプションとして、染色工程を含む、ヤーン、織物または編物の処
理方法。
【請求項２５】
請求項２４において、前処理の後に、織物または編物を、パッド・マングル処理する工
程、を含み、処理された織物または編物は、（ａ）＋（ｂ）＋（ｃ）および／または（ｄ
）とから構成される活性成分によって被覆され、前記活性成分の量は、前記ヤーン、織物または編物の乾燥状態の重量に対し、０．１〜５％である、ヤーン、織物または編物の処理方法。